(57)【特許請求の範囲】
【請求項１】
情報を表示する表示画面と、該表示画面を背面側から照明するためのバックライト用光源とを有する表示モジュール、および
前記表示モジュールの背面を覆う、導電性材料からなる第１部材と、該第１部材の外縁部に重なる内縁部を有し該第１部材の外側に広がって該第１部材に固定された、非導電性材料からなる第２部材とを有し、該表示モジュールを保持する筐体ケースを備え、
前記第１部材の外縁部の、前記第２部材が重なる領域全域が、該第１部材の、該外縁部よりも内側の中央部分と比べ、内壁が突出し外壁が窪んだ段差に形成され、
前記第２部材の内縁部が、前記段差の外壁の窪みに重ねられており、
前記第２部材は前記第１部材を一周にわたって囲む枠形状を有し、該第２部材の内縁部が、該第１部材の外縁部に一周にわたって重なっていることを特徴とする表示装置。
【請求項２】
前記筐体ケースに保持された前記表示モジュールの縁と該筐体ケースの縁との間を覆う前側ケースをさらに備えたことを特徴とする請求項１記載の表示装置。
【請求項３】
前記第１部材の外縁部は、前記第２部材の厚さとほぼ同一高さの段差を有するものであることを特徴とする請求項１または２記載の表示装置。
【請求項４】
前記第２部材は、前記第１部材にネジ止めにより固定されたものであることを特徴とする請求項１から３のうちいずれか１項記載の表示装置。
【請求項５】
前記筐体ケースの、前記第２部材で形成された部分に電子部品を備えたことを特徴とする請求項１から４のうちいずれか１項記載の表示装置。
【請求項６】
前記電子部品が、無線アンテナを含むものであることを特徴とする請求項５記載の表示装置。
【請求項７】
請求項１から６のうちのいずれか１項記載の表示装置と、表示情報を生成して該表示装置の前記表示モジュールに表示情報を送る情報処理回路とを備えたことを特徴とする電子機器。
【請求項８】
前記情報処理回路を内蔵した演算装置を備え、前記表示装置が該演算装置に開閉自在に連結されていることを特徴とする請求項７記載の電子機器。
【請求項９】
前記表示装置は、前記演算装置に対し開閉自在かつ開状態において該演算装置上面に垂直な回転軸のまわりに回転自在な二軸の連結部材を介在させて前記演算装置に連結されたものであることを特徴とする請求項８記載の電子機器。
【請求項１０】
前記表示画面に、前記演算装置に対し前記表示装置を開いた第１の使用状態では前記回転軸の方向を上下方向として情報を表示する第１の表示モードで情報を表示し、前記表示装置を前記演算装置上に、前記表示画面を外側に向けて重ねた第２の使用状態では、前記回転軸と垂直な方向を上下方向として情報を表示する第２の表示モードで情報を表示する表示切替回路を備えたことを特徴とする請求項９記載の電子機器。
【発明の詳細な説明】
【技術分野】
【０００１】
本発明は、筐体ケース内に表示パネルが収容された表示装置、およびそのような表示装置を備えた電子機器に関する。
【背景技術】
【０００２】
従来から、パーソナルコンピュータ等の分野において、情報を表示する薄型の表示画面である液晶パネルが広く適用されている。それらの中でも、装置の薄型化が特に強く要求されているラップトップ型のパーソナルコンピュータや携帯電話などでは、液晶パネルに裏面側から光を照射するバックライト型の表示装置が広く利用されている。
【０００３】
バックライト型の表示装置は、ライン状に延びる光源が液晶パネルの側面側に配置されるとともに、液晶パネルの裏面に導光板が貼り付けられており、光源から発せられた光が導光板によって液晶パネルに導かれ、さらに導光板によって拡散されて液晶パネルの裏面側から照射される。このようなバックライト型の表示装置によると、比較的スペースにゆとりがある液晶パネルの脇に光源などが配置されるため、表示装置を薄型化することができる。
【０００４】
また、液晶パネルを用いた表示装置では、外観を整える目的等のために、バックライトや駆動基板などが取り付けられた液晶パネルが筐体内に収容されているのが一般的である。装置の薄型化および軽量化と、落下などの衝撃から破損しやすい液晶パネルを保護するという目的とを両立させるためには、筐体全体を高強度な金属などで構成することが好ましい。しかし、近年では、ラップトップ型のパーソナルコンピュータに無線通信機能が搭載されてきており、無線通信用のアンテナが液晶パネルの脇に設置されることが多いため、筐体全体を導電性材料である金属で構成してしまうと、アンテナで電波を送受信することができなくなってしまう。このため、高強度な金属で構成された第１部材の周りに、電波を通すプラスチックなどで構成された第２部材を固定した筐体を用いて、その筐体内の、第１部材の部分に液晶パネルを取り付け、第２部材の部分にアンテナなどを配設することが行われている。
【０００５】
第１部材と第２部材とを固定する方法としては、第１部材の外縁と第２部材の内縁とを重ねてネジ止めすることが考えられる。しかし、このような固定方法では、第１部材と第２部材の隙間からバックライトの光が漏れてしまうことがあり、高級感または高品質の印象が損なわれてしまうという問題がある。
【０００６】
バックライトの光漏れを軽減する方法として、特許文献１には、液晶パネルの背面を覆う金属製の背面部材と、液晶パネルの前面側を取り囲むプラスチック製の前面部材とを固定した筐体について記載されている。背面部材の、前面部材と接触する面を斜面に形成しておき、前面部材の外縁を折り曲げて、背面部材の斜面にその折り曲げた部分をネジ止めすることによって、前面部材と背面部材との重なり部分の密着度を高めることができ、バックライトの光漏れを軽減することができる。
【特許文献１】特開平１１−３１１９５２号公報
【発明の開示】
【発明が解決しようとする課題】
【０００７】
しかし、特許文献１に記載された技術は、背面側の、いわば１枚の板状の筐体ケースを複数の材料の部材で構成する技術ではなく、金属製の背面部材とプラスチック製の前面部材とが液晶パネルの側面側で固定されるため液晶パネルの背面側が金属製の背面部材で覆われてしまうこととなり、上側筐体内に無線用のアンテナを配設することができない。
【０００８】
また、このような問題は、パーソナルコンピュータや携帯電話機にのみ生じる問題ではなく、バックライト型の表示パネルが筐体内に収容された表示装置に一般的に生じる問題である。
【０００９】
本発明は、上記事情に鑑み、無線通信が可能であるとともに、バックライトからの光漏れを防止することができる表示装置および電子機器を提供することを目的とする。
【課題を解決するための手段】
【００１０】
上記目的を達成する本発明の表示装置は、情報を表示する表示画面と、表示画面を背面側から照明するためのバックライト用光源とを有する表示モジュール、および
表示モジュールの背面を覆う、導電性材料からなる第１部材と、第１部材の外縁部に重なる内縁部を有し第１部材の外側に広がって第１部材に固定された、非導電性材料からなる第２部材とを有し、表示モジュールを保持する筐体ケースを備え、
第１部材の外縁部の、第２部材が重なる領域全域が、第１部材の、外縁部よりも内側の中央部分と比べ、内壁が突出し外壁が窪んだ段差に形成され、
第２部材の内縁部が、段差の外壁の窪みに重ねられていることを特徴とする。
【００１１】
本発明の表示装置によると、導電性材料からなる第１部材の外縁部に段差が形成されており、非導電性材料からなる第２部材は、その内縁部が段差の外壁の窪みに重ねられている。バックライト用光源の光が第１部材と第２部材との重なり部分に進入しても、その光は第１部材の段差によって遮られるため、筐体ケースの外にまで光が漏れてしまうという不具合を回避することができる。また、表示モジュールが高強度な金属などで構成された第１部材で覆われることによって、表示モジュールの破損を防止することができ、第２部材が電波を通す非導電性材料で構成されることによって、この第２部材の部分に無線アンテナを配置して無線通信を実現することができる。
【００１２】
また、本発明の表示装置において、筐体ケースに保持された表示モジュールの縁と筐体ケースの縁との間を覆う前側ケースをさらに備えたことが好ましい。
【００１３】
筐体ケースとは別に前方ケースが備えられることによって、第１部材と第２部材を固定しているネジなどを隠蔽することができ、デザイン性を向上させることができる。
【００１４】
また、本発明の表示装置において、第１部材の外縁部は、第２部材の厚さとほぼ同一高さの段差を有するものであることが好ましい。
【００１５】
筐体ケースの、表示モジュールが収容された面に対する裏側の面における、第１部材と第２部材との段差をなくして外観上一枚の板のように形成し、デザイン性を向上させることができる。
【００１６】
また、本発明の表示装置において、上記第２部材は、第１部材にネジ止めにより固定されたものであることが好適である。
【００１７】
この好適な表示装置によると、第２部材を第１部材に確実に固定することができる。
【００１８】
また、本発明の表示装置において、筐体ケースの、第２部材で形成された部分に電子部品を備えたことが好ましい。
【００１９】
表示モジュールが配備される第１部材で形成された部分ではなく、第１部材の脇の第２部材で形成された部分に電子部品が備えられることによって、表示装置を薄型化することができる。
【００２０】
また、本発明の表示装置において、電子部品が、無線アンテナを含むものであることが好ましい。
【００２１】
第２部材で生成された部分は電波を通すため、その部分に無線通信用のアンテナが配置されることによって、通信を実現することができる。
【００２２】
また、上記目的を達成する本発明の電子機器は、上記の表示装置と、表示情報を生成して表示装置の前記表示モジュールに表示情報を送る情報処理回路とを備えたことを特徴とする。
【００２３】
本発明の電子機器によると、上記の表示装置を備えているため、バックライト用光源から発せられた光が筐体ケース外に漏れてしまう光漏れを防止することができる。
【００２４】
また、本発明の電子機器において、情報処理回路を内蔵した演算装置を備え、表示装置が演算装置に開閉自在に連結されていることが好ましい。
【００２５】
本発明は、表示装置が演算装置に開閉自在に連結されたノート型のパーソナルコンピュータなどに適用することができる。
【００２６】
また、本発明の電子機器において、表示装置は、演算装置に対し開閉自在かつ開状態において演算装置上面に垂直な回転軸のまわりに回転自在な二軸の連結部材を介在させて前記演算装置に連結されたものであることが好適である。
【００２７】
近年、キーボードなどを使った通常の入力操作に加えて、スタイラスペンなどで表示画面上を指定することによって指示を入力することができるタブレットモードを有するラップトップ型パーソナルコンピュータが開発されてきている。この好適な電子機器によると、例えば、主にペンを使った入力をする場合には、表示装置を演算装置に対して開き、表示画面を外側に向けて回転させ、さらに表示装置を閉じて演算装置上に重ねることができ、操作性を向上させることができる。
【００２８】
また、本発明の電子機器において、表示画面に、演算装置に対し表示装置を開いた第１の使用状態では回転軸の方向を上下方向として情報を表示する第１の表示モードで情報を表示し、表示装置を前記演算装置上に、表示画面を外側に向けて重ねた第２の使用状態では、回転軸と垂直な方向を上下方向として情報を表示する第２の表示モードで情報を表示する表示切替回路を備えたことが好ましい。
【００２９】
タブレットモードを有するパーソナルコンピュータでは、キーボードなどを使った通常の使用状態（第１の使用状態）では、回転軸の方向を上下方向として表示画面を横長の状態で使用し、タブレットモードで使用する場合（第２の使用状態）では、回転軸と垂直な方向を上下方向として表示画面を縦長の状態で使用したいという要望が高い。本発明の電子機器によると、第１の使用状態および第２の使用状態それぞれの用途に合った向きで情報を表示させることができる。
【発明の効果】
【００３０】
本発明によれば、無線通信が可能であるとともに、バックライト用光源からの光漏れを防止することができる。
【発明を実施するための最良の形態】
【００３１】
以下、図面を参照して本発明の実施の形態を説明する。
【００３２】
図１は、本発明の一実施形態が適用されたパーソナルコンピュータの外観斜視図である。
【００３３】
図１に示すパーソナルコンピュータ１０は、電磁誘導形デジタイザを表示画面３１の裏側に搭載し、スタイラスペンで指示された表示画面３１上の位置を検出することにより指示入力を可能とする入力デバイスを備えている。なお、この入力デバイスとして、デジタイザとスタイラスペンに替えて表示画面３１上に搭載するタッチパネルを採用してもよい。
【００３４】
パーソナルコンピュータ１０は、本体ユニット２０と表示ユニット３０を備えており、これら本体ユニット２０と表示ユニット３０は、表示ユニット３０が本体ユニット２０に対し矢印Ａ−Ａ方向に開閉自在および矢印Ｂ−Ｂ方向（本体ユニット２０に対して垂直な回動軸のまわり）に回動自在となるように、二軸の連結ユニット４０で連結されている。この図１には、表示ユニット３０が本体ユニット２０に対し開いた状態（開状態）にあるパーソナルコンピュータ１０が示されており、この開状態は、本発明にいう第１の使用状態に相当する。また、本体ユニット２０は、本発明にいう演算装置の一例にあたり、表示ユニット３０は、本発明にいう表示装置の一例に相当する。
【００３５】
本体ユニット２０には、キーボード２１、トラックパッド２２、左クリックボタン２３、右クリックボタン２４が備えられており、さらに、表示ユニット３０を下から受け止める表示ユニット受け３４が設けられている。また、本体ユニット２０の一側面には、ＣＤやＤＶＤ等の光ディスクを搭載して駆動しアクセスする光ディスクドライブ２６の開閉蓋２６ａが備えられており、その開閉蓋２６ａには、それを押すことによってその開閉蓋２６ａが開くイジェクトボタン２６ｂが設けられている。
【００３６】
パーソナルコンピュータ１０の表示ユニット３０は、その前面に表示画面３１が広がっている。表示ユニット３０には、その表示画面３１よりも下方の右端にいくつかの押ボタン３２が設けられており、左端には、指先がなぞられることによって指紋認証を行う指紋センサ３３が備えられている。また、表示ユニット３０は、前方ケース３２Ａおよび後方ケース３２Ｂによって表示画面３１が前後から挟まれており、前方ケース３２Ａと後方ケース３２Ｂとで構成された空間内には、通信を行うためのアンテナ（後述する）などが配置されている。前方ケース３２Ａは、本発明にいう前方ケースの一例にあたり、後方ケース３２Ｂは、本発明にいう筐体ケースの一例に相当する。図１に示す開状態では、表示画面３１上に、表示ユニット３０の回転軸の方向を上下方向として情報が表示される。
【００３７】
図２は、表示ユニット３０を本体ユニット２０上に閉じた状態の電子装置を示す外観斜視図である。
【００３８】
図２では、表示ユニット３０は、表示画面３１（図１参照）を本体ユニット２０に向けて重ねられた状態にある。以下では、これを第１の閉状態と称する。
【００３９】
図１に示す開状態において、表示ユニット３０が矢印Ａ方向に閉じられると、図２に示すように、表示画面３１が内側に隠蔽されて、表示画面３１に対する裏面が外側に剥き出しになった第１の閉状態となる。この第１の閉状態では、表示画面３１の汚れや破損を回避して、パーソナルコンピュータ１０を持ち運ぶことができる。
【００４０】
図３は、表示ユニットを本体ユニットに対しほぼ９０°回動させた状態を示す外観斜視図である。
【００４１】
表示ユニット３０を、この状態を経由し、さらに表示画面３１の裏側が前方を向くように回すことができる。
【００４２】
図４は、表示ユニットが表示画面を上に向けて本体ユニット重ねられた状態を示す外観斜視図である。
【００４３】
表示ユニット３０を、図３に示す姿勢を経由してさらに表示画面３１の裏側が前方を向くように回し、その状態で、その表示ユニット３０の、表示画面３１に対する裏面を本体ユニット２０に向けて表示ユニット３０を本体ユニット２０に重ねると、図４に示す第２の閉状態となる。この第２の閉状態は、本発明にいう第２の使用状態の一例にあたる。以下では、第２の閉状態でパーソナルコンピュータ１０を使用するモードをタブレットモードと称する。
【００４４】
上述したように、この表示画面３１は、その裏側に電磁誘導形デジタイザを備えて表示画面上の指示位置を検出するペン入力機能付きの表示画面であり、通常は、このタブレットモードにあるパーソナルコンピュータ１０を一方の腕にかかえ、他方の手にペン（図示せず）を持って表示画面を操作するという使用態様が採用される。このタブレットモードにあるパーソナルコンピュータ１０を腕にかかえたときの視線との関係から、図１に示す開状態と比べ、表示画面３１上の表示画像は９０°その向きが回転している。すなわち、タブレットモードでは、表示画面３１上に、表示ユニット３０の回転軸と垂直な方向を上下方向として情報が表示される。
【００４５】
続いて、パーソナルコンピュータ１０の内部構成について説明する。
【００４６】
図５は、パーソナルコンピュータ１０の内部構成図である。
【００４７】
パーソナルコンピュータ１０には、図５に示すように、各種プログラムを実行するＣＰＵ１０１、ハードディスク装置１０３に格納されたプログラムが読み出されＣＰＵ１０１での実行のために展開される主メモリ１０２、各種プログラムやデータ等が保存されたハードディスク装置１０３、情報表示に関する処理を司る表示機構１０４、図１にも示す指紋センサ３３、キーボード２１やトラックパッド２２などを含む操作子１０６、小型記録媒体２００が装填され、装填された小型記録媒体２００をアクセスする小型記録媒体ドライブ１０８、ＣＤ−ＲＯＭ２１０やＤＶＤが装填され、その装填されたＣＤ−ＲＯＭ２１０やＤＶＤをアクセスするＣＤ／ＤＶＤドライブ１０９、外部装置からデータを入力する入力インタフェース１０５、外部装置へデータを出力する出力インタフェース１１０、電波を送受信するアンテナ４００、およびアンテナ４００を使った無線通信を行う無線インタフェース１１１などが内蔵されており、これらの各種要素は、バス１１１を介して相互に接続されている。尚、表示機構１０４は、図１に示す表示画面３１上に表示する情報の向きなどを制御する表示制御装置１０４１、表示画面３１上に情報を表示する表示装置１０４２、および表示画面３１上の裏側に搭載されスタイラスペンによる指示位置を検出するデジタイザ３３０で構成されている。表示制御装置１０４１は、本発明にいう表示制御部の一例にあたり、アンテナ４００は、本発明にいう電子部品の一例にあたるとともに、本発明にいうアンテナの一例にも相当する。
【００４８】
続いて、表示ユニット３０の内部構成について詳しく説明する。
【００４９】
図６は、図１に示す前方カバー３２Ａを外した状態の表示ユニット３０を示す図である。
【００５０】
図６に示す表示パネル３１０は、図１に示す表示画面３１が表面に形成されており、裏面側にはデジタイザ３３０（図７参照）が配置されている。また、表示パネル３１０には、両側縁に弾性部材３２０が取り付けられている。
【００５１】
また、表示ユニット３０の後方カバー３２Ｂには、弾性部材３２０が取り付けられた状態で表示パネル３１０が収容されており、上方に電波を送受信するアンテナ４００が取り付けられている。アンテナ４００には信号線４０１が接続されており、この信号線４０１は、アンテナ４００から延びて連結部材４０を通り、図１に示す本体ユニット２０内のＣＰＵ１０１（図５参照）に接続されている。
【００５２】
図７は、後方カバー３２Ｂから表示パネル３１０を弾性部材３２０ごと取り外した状態を示す図である。
【００５３】
表示パネル３１０には、下縁にバックライト用光源（図示しない）が埋め込まれており、表示パネル３１０の、図１に示す表示画面３１が形成された表面に対する裏面側には、バックライト用光源から発せられた光を導いて表示パネル３１０を裏面側に拡散する導光板（図示しない）や、図５にも示すデジタイザ３３０が接着されており、デジタイザ３３０で検出された情報を本体ユニット２０に伝える伝達回路５１０も備えられている。表示パネル３１０に埋め込まれたバックライト用光源は、本発明にいうバックライト用光源の一例に相当する。
【００５４】
ここで、後方カバー３２Ｂは、表示パネル３１０の裏面を覆うパネル部分６０２は金属で構成されているのに対し、アンテナ４００や、図６において電子線４０１が配設されるアンテナ部分６０１は、プラスチックで構成されており、それらパネル部分６０２とアンテナ部分６０１とがネジ６０３によって連結されている。パネル部分６０２は、本発明にいう第１部材の一例にあたり、アンテナ部分６０１は、本発明にいう第２部材の一例に相当する。パネル部分６０２を導電性材料である金属（例えば、マグネシウム合金）で構成することによって、後方カバー３２Ｂの強度を高めて表示パネル３１０の耐衝撃性を向上させることができ、アンテナ部分６０１は非導電性材料であるプラスチックで構成することによって、アンテナ４００で確実に電波を送受信することができ、無線通信を実行することができる。
【００５５】
図８は、パネル部分６０２とアンテナ部分６０１との境界の拡大図である。
【００５６】
パネル部分６０２とアンテナ部分６０１とは、パネル部分６０２の外縁と、アンテナ部分６０１の内縁とが重なっており、その重なった部分がネジ６０３によって固定されている。また、パネル部分６０２の外縁側には、段差６０２ａが設けられている。
【００５７】
図９は、段差６０２ａの切断面を示す図である。
【００５８】
段差６０２ａは、パネル部分６０２の外縁側が中央部分よりも表示パネル３１０が収容されている内面側に突出している。また、段差６０２ａの外壁に形成された窪みにアンテナ部６０１が突き当てられている。本実施形態では、パネル部６０２の段差６０２ａの高さｈが、アンテナ部６０１の厚さｄとほぼ同一であり、表示ユニット３０を表示パネル３１０の裏面側からみると、アンテナ部６０１とパネル部６０２とが滑らかに繋がっている。
【００５９】
バックライト用光源から発せられた光が表示パネル３１０を裏面側から照射すると、その光の一部は表示パネル３１０の背面側から漏れてしまうが、その漏れた光はパネル部分６０２の段差６０２ａによって遮られるため、光が後方カバー３２Ｂの外にまで漏れてしまう不具合を防止することができる。ここで、パネル部６０２は高強度な金属で構成されているため、プラスチックで構成されたアンテナ部６０１よりも薄く、アンテナ部６０１側に段差を設けるよりも、パネル部６０２側に段差を設ける方が段差の高さが高くなる。このため、バックライト用光源から発せられた光を段差によって確実に遮ることができ、光漏れを精度良く防止することができる。また、アンテナ部６０１ではなく、パネル部６０２側に段差を設けることによって、後カバー３２Ｂの前面側からネジ６０３（図８参照）を固定することができ、デザイン性を向上させることができる。
【００６０】
ここで、上記では、本発明の電子機器をタブレットモードを有するパーソナルコンピュータに適用する例について説明したが、本発明の電子機器は、一般的なパーソナルコンピュータであってもよく、電子手帳などに適用してもよい。
【００６１】
また、上記では、液晶タイプの表示画面を備えた表示モジュールの例について説明したが、本発明における表示画面は、バックライト用光源を備えたものであれば、液晶以外のタイプの表示画面であってもよい。
【００６２】
また、上記では、第１部材の外周を１周に渡って第２部材で囲んだ筐体ケースの例について説明したが、本発明における筐体ケースは、第１部材の外縁の一部に第２部材を固定したものであってもよい。
【図面の簡単な説明】
【００６３】
【図１】本発明の一実施形態が適用されたパーソナルコンピュータの外観斜視図である。
【図２】表示ユニットを本体ユニット上に閉じた状態の電子装置を示す外観斜視図である。
【図３】表示ユニットを本体ユニットに対しほぼ９０°回動させた状態を示す外観斜視図である。
【図４】表示ユニットが表示画面を上に向けて本体ユニット重ねられた状態を示す外観斜視図である。
【図５】パーソナルコンピュータの内部構成図である。
【図６】図１に示す前方カバーを外した状態の表示ユニットを示す図である。
【図７】後方カバーから表示パネルを弾性部材ごと取り外した状態を示す図である。
【図８】パネル部分とアンテナ部分との境界の拡大図である。
【図９】段差の切断面を示す図である。
【符号の説明】
【００６４】
１０    パーソナルコンピュータ
２０    本体ユニット
３０    表示ユニット
２１    キーボード
２２    トラックパッド
２３    左クリックボタン
２４    右クリックボタン
３１    表示画面
３２    押ボタン
１０１    ＣＰＵ
１０２    主メモリ
１０３    ハードディスク装置
１０４    表示機構
１０５    入力インタフェース
１０６    操作子
１０８    小型記録媒体ドライブ
１０９    ＣＤ／ＤＶＤドライブ
１１０    出力インタフェース
１１１    バス
２００    小型記録媒体
２１０    ＣＤ−ＲＯＭ
【図１】
0005104071.tif 000002
【図２】
0005104071.tif 000003
【図３】
0005104071.tif 000004
【図４】
0005104071.tif 000005
【図５】
0005104071.tif 000006
【図６】
0005104071.tif 000007
【図７】
0005104071.tif 000008
【図８】
0005104071.tif 000009
【図９】
0005104071.tif 000010